(57)【要約】【課題】紙幣入金口に戻した紙幣の姿勢を良好に揃えること。【解決手段】前面に開口する紙幣入金口４１を通じて紙幣が入金された場合に、紙幣が正貨で金種が判別されたことを条件として紙幣を金種に応じた紙幣収納庫４７に搬送する紙幣搬送機構４８を備えた金銭処理装置１であって、紙幣搬送機構４８は、紙幣が搬送途中で詰まったり、紙幣の判別が不十分であったりする場合に、紙幣入金口４１に紙幣を戻すものであり、紙幣入金口４１を構成する底部４１ａは、紙幣入金口４１よりも前方に突出する態様で形成されており、底部４１ａの前端部分より上方に向けて延在する態様で設けられた上延部５１が、紙幣搬送機構４８により紙幣入金口４１に戻された紙幣に当接する紙幣ガイド５０を備えている。【選択図】図１２
2020035401.tif 000002
【特許請求の範囲】
【請求項１】
前面に開口する紙幣入金口を通じて紙幣が入金された場合に、該紙幣が正貨で金種が判別されたことを条件として該紙幣を金種に応じた紙幣収納庫に搬送する紙幣搬送機構を備えた金銭処理装置であって、
前記紙幣搬送機構は、紙幣が搬送途中で詰まったり、紙幣の判別が不十分であったりする場合に、前記紙幣入金口に紙幣を戻すものであり、
前記紙幣入金口を構成する底部は、該紙幣入金口よりも前方に突出する態様で形成されており、
前記底部の前端部分より上方に向けて延在する態様で設けられた上延部が、前記紙幣搬送機構により前記紙幣入金口に戻された紙幣に当接する紙幣ガイドを備えたことを特徴とする金銭処理装置。
【請求項２】
前記紙幣ガイドは、前記上延部の左右方向の中央部分に切欠が形成されたことを特徴とする請求項１に記載の金銭処理装置。
【請求項３】
前記紙幣ガイドは、前記上延部の左右の両端部にそれぞれ連続し、かつ前記底部の左右の両端部分より上方に突出する態様で設けられた側延部を備えたことを特徴とする請求項１又は請求項２に記載の金銭処理装置。
【発明の詳細な説明】
【技術分野】
【０００１】
本発明は、金銭処理装置に関し、より詳細には釣銭機として適用される金銭処理装置に関するものである。
【背景技術】
【０００２】
例えばスーパーマーケットやコンビニエンスストア等の店舗では、ＰＯＳ（Point  Of  Sales）端末に自動釣銭機としての金銭処理装置が接続されているのが一般的である。金銭処理装置は、紙幣入金口を通じて入金された紙幣の真贋及び金種を識別し、その後該紙幣を金種に応じた紙幣収納庫に収納するものである。この金銭処理装置は、ＰＯＳ端末から釣銭払出要求である出金指令が与えられた場合に、要求金額に相当する紙幣を該当する紙幣収納庫から繰り出させ、紙幣出金口まで搬送して払い出すものである（例えば、特許文献１参照）。
【先行技術文献】
【特許文献】
【０００３】
【特許文献１】特開２０１０−２７２１４０号公報
【発明の概要】
【発明が解決しようとする課題】
【０００４】
ところで、上記金銭処理装置においては、紙幣入金口を通じて入金された紙幣の姿勢等に起因して、該紙幣が搬送途中で詰まったり該紙幣の判別が不十分であったりする場合、紙幣入金口に紙幣を一旦戻すのが一般的である。
【０００５】
しかしながら、紙幣入金口は単なる開口であるので、該紙幣入金口に紙幣を戻しても、紙幣の姿勢が不十分なままとなり、再度紙幣入金口から入金されても紙幣の詰まり等の同様の問題が生ずる虞れがあった。
【０００６】
本発明は、上記実情に鑑みて、紙幣入金口に戻した紙幣の姿勢を良好に揃えることができる金銭処理装置を提供することを目的とする。
【課題を解決するための手段】
【０００７】
上記目的を達成するために、本発明に係る金銭処理装置は、前面に開口する紙幣入金口を通じて紙幣が入金された場合に、該紙幣が正貨で金種が判別されたことを条件として該紙幣を金種に応じた紙幣収納庫に搬送する紙幣搬送機構を備えた金銭処理装置であって、前記紙幣搬送機構は、紙幣が搬送途中で詰まったり、紙幣の判別が不十分であったりする場合に、前記紙幣入金口に紙幣を戻すものであり、前記紙幣入金口を構成する底部は、該紙幣入金口よりも前方に突出する態様で形成されており、前記底部の前端部分より上方に向けて延在する態様で設けられた上延部が、前記紙幣搬送機構により前記紙幣入金口に戻された紙幣に当接する紙幣ガイドを備えたことを特徴とする。
【０００８】
また本発明は、上記金銭処理装置において、前記紙幣ガイドは、前記上延部の左右方向の中央部分に切欠が形成されたことを特徴とする。
【０００９】
また本発明は、上記金銭処理装置において、前記紙幣ガイドは、前記上延部の左右の両端部にそれぞれ連続し、かつ前記底部の左右の両端部分より上方に突出する態様で設けられた側延部を備えたことを特徴とする。
【発明の効果】
【００１０】
本発明によれば、紙幣入金口を構成する底部が該紙幣入金口よりも前方に突出する態様で形成され、紙幣ガイドが、底部の前端部分より上方に向けて延在する態様で設けられた上延部が紙幣搬送機構により紙幣入金口に戻された紙幣に当接するので、該紙幣の姿勢を良好に揃えることができるという効果を奏する。
【図面の簡単な説明】
【００１１】
【図１】図１は、本発明の実施の形態である金銭処理装置の構成を示す平面図である。
【図２】図２は、本発明の実施の形態である金銭処理装置の特徴的な制御系を示すブロック図である。
【図３】図３は、図１及び図２に示した硬貨処理機の構成を示す正面図である。
【図４】図４は、図１及び図２に示した硬貨処理機の内部構造を模式的に示す模式図である。
【図５】図５は、図４に示した硬貨返却排出ユニットの構成を示す斜視図である。
【図６】図６は、図４に示した硬貨返却排出ユニットの構成を示す平面図である。
【図７】図７は、図６におけるＡ−Ａ線断面図である。
【図８】図８は、図５〜図７に示した硬貨返却排出ユニットにおける硬貨返却通路での硬貨の通過を模式的に示す縦断面図である。
【図９】図９は、図５〜図７に示した硬貨返却排出ユニットにおける硬貨排出通路での硬貨の通過を模式的に示す縦断面図である。
【図１０】図１０は、図１に示した紙幣処理機の正面図である。
【図１１】図１１は、図１に示した紙幣処理機の構成を模式的に示した断面図である。
【図１２】図１２は、図１０及び図１１に示した紙幣処理機の紙幣入金口を拡大して示す拡大斜視図である。
【図１３】図１３は、図２に示した金銭制御部が実施するオーバーフロー硬貨排出制御処理の処理内容を示すフローチャートである。
【図１４】図１４は、図１０及び図１１に示した紙幣処理機の紙幣入金口を拡大して示す縦断面図である。
【発明を実施するための形態】
【００１２】
以下に添付図面を参照して、本発明に係る金銭処理装置の好適な実施の形態について詳細に説明する。
【００１３】
図１及び図２は、それぞれ本発明の実施の形態である金銭処理装置を示すものであり、図１は、金銭処理装置の構成を示す平面図であり、図２は、金銭処理装置の特徴的な制御系を示すブロック図である。
【００１４】
ここで例示する金銭処理装置１は、例えばスーパーマーケットやコンビニエンスストア等の店舗においてＰＯＳ（Point  Of  Sales）レジスタ装置ＰＲを上位機器として接続される自動釣銭機として適用されるものであり、硬貨処理機１０、紙幣処理機４０及び金銭制御部６０を備えて構成してある。
【００１５】
図３及び図４は、それぞれ図１及び図２に示した硬貨処理機１０を示すものであり、図３は、硬貨処理機１０の構成を示す正面図であり、図４は、硬貨処理機１０の内部構造を模式的に示す模式図である。
【００１６】
これら図３及び図４にも示すように、硬貨処理機１０は、略直方状を成す筐体である硬貨処理機本体１０ａを有しており、該硬貨処理機本体１０ａに硬貨投入口１１、操作表示部１２、硬貨出金口１３及び硬貨返却口１４を備えている。
【００１７】
硬貨投入口１１は、硬貨処理機本体１０ａの前端上面の右側に設けてあり、投入された硬貨を硬貨処理機本体１０ａの内部に受け入れるための開口である。この硬貨投入口１１は、例えば顧客等の利用者からの預り金を一時保持する一時保持部として機能する。
【００１８】
操作表示部１２は、硬貨処理機本体１０ａの前端上面の左側に設けてあり、表示部１２ａ及び操作部１２ｂを有している。表示部１２ａは各種情報を表示するものであり、操作部１２ｂは例えばテンキー等で構成されて各種の操作入力を行う入力手段である。
【００１９】
硬貨出金口１３は、硬貨処理機本体１０ａの前面左側に設けてある。この硬貨出金口１３は、硬貨処理機本体１０ａの内部に収納された硬貨を払い出すための開口であり、硬貨処理機本体１０ａに取り付けられた出金トレイ１５に硬貨を払い出すものである。硬貨返却口１４は、硬貨処理機本体１０ａの前面右側に設けてある。この硬貨返却口１４は、硬貨を返却するための開口である。
【００２０】
硬貨処理機本体１０ａの内部には、硬貨搬送機構２０が設けてある。この硬貨搬送機構２０は、入金搬送部２１、一時保留部２２、硬貨振分部２３、硬貨収納庫２４、出金搬送部２５及び切換ゲート群２６を有している。
【００２１】
入金搬送部２１は、硬貨投入口１１より投入されるとともに図示せぬ投入検出センサによって検出された硬貨を搬送するものであり、検銭部２７が設けてある。検銭部２７は、硬貨の真贋及び金種を判別するものである。
【００２２】
一時保留部２２は、検銭部２７で正貨と判定された硬貨を一時的に保留するものである。硬貨振分部２３は、一時保留部２２で保留されてから搬送された硬貨を金種毎に振り分けるものである。
【００２３】
硬貨収納庫２４は、金種毎に設けてあり、硬貨振分部２３により振り分けられた硬貨を収納するものである。各硬貨収納庫２４は、投入された硬貨を金種別に個別に収納するようにしている。また各硬貨収納庫２４は、収納する商品を繰り出す機能を有している。
【００２４】
出金搬送部２５は、硬貨収納庫２４から繰り出された硬貨を前方に向けて搬送するものである。つまり出金搬送部２５は、硬貨収納庫２４から繰り出された硬貨を、硬貨出金口１３に連通する出金シュート２８に向けて前方に搬送するものである。
【００２５】
切換ゲート群２６は、第１切換ゲート２６ａ、第２切換ゲート２６ｂ及び第３切換ゲート２６ｃを備えている。第１切換ゲート２６ａは、入金搬送部２１の搬送方向下流側に設けてある。この第１切換ゲート２６ａは、入金搬送部２１で搬送された硬貨を一時保留部２２に搬送させる状態と、該硬貨を硬貨出金口１３に搬送させる状態との間で択一的に切換可能なものである。
【００２６】
第２切換ゲート２６ｂは、一時保留部２２の搬送方向下流側に設けてある。この第２切換ゲート２６ｂは、一時保留部２２で保留された硬貨を硬貨振分部２３に送出させる状態と、該硬貨を後述する硬貨返却排出ユニット３０に送出させる状態との間で択一的に切換可能なものである。かかる第２切換ゲート２６ｂは、常態においては、一時保留部２２で保留された硬貨を硬貨振分部２３に送出させる状態となっている。
【００２７】
尚、一時保留部２２で保留された硬貨は、硬貨振分部２３若しくは硬貨返却排出ユニット３０に搬送ベルトや搬送ローラ等の搬送手段（図示せず）により搬送される際に、図示せぬリバースローラにより、互いに重なり合わないよう１枚ずつ搬送される。また硬貨の搬送姿勢であるが、横倒姿勢、すなわち硬貨の中心軸が搬送方向に略直交する姿勢で搬送される。
【００２８】
第３切換ゲート２６ｃは、出金搬送部２５の搬送方向下流側に設けてある。この第３切換ゲート２６ｃは、出金搬送部２５で搬送された硬貨を、出金シュート２８を経由して硬貨出金口１３に搬送させる搬送状態と、該硬貨を一時保留部２２に搬送させる循環状態との間で択一的に切換可能なものである。かかる第３切換ゲート２６ｃは、常態においては、搬送状態となっている。
【００２９】
図５〜図７は、それぞれ図４に示した硬貨返却排出ユニット３０を示すものであり、図５は、硬貨返却排出ユニット３０の構成を示す斜視図であり、図６は、硬貨返却排出ユニット３０の構成を示す平面図であり、図７は、図６におけるＡ−Ａ線断面図である。
【００３０】
これら図５〜図７に示す硬貨返却排出ユニット３０は、上記硬貨搬送機構２０を構成するものであり、硬貨返却通路３１、硬貨排出通路３３、硬貨返却排出ゲート（ゲート部材）３５及び計数検出部３７を備えて構成してある。
【００３１】
かかる硬貨返却排出ユニット３０には、一時保留部２２から搬送手段により右方に向けて搬送されて第２切換ゲート２６ｂに当接した後、搬送路２９の壁面２９ａに接して方向が変化して前方に向けて搬送される硬貨Ｃがユニット入口３０ａより導入される。
【００３２】
硬貨返却通路３１は、ユニット入口３０ａより前方に向かうに連れて漸次下方に傾斜する態様で形成してあり、硬貨返却口１４に連通している。かかる硬貨返却通路３１の下方への傾斜延在であるが、ユニット入口３０ａより導入された硬貨Ｃが、図８及び図９に示すようにその直後に該硬貨Ｃの重心が崩れることにより自由落下することができる程度に形成してある。
【００３３】
硬貨排出通路３３は、硬貨返却通路３１の途中の分岐点３１ａより分岐して、該硬貨返却通路３１の後方側を下方に向けて延在する態様で形成してあり、その下端部分に硬貨排出口３３ａが設けてある。この硬貨排出口３３ａは、図には明示しないが、硬貨処理機本体１０ａの底面に開口している。
【００３４】
ここで硬貨排出通路３３の下端部の近傍には、開閉検知部３４が設けてある。この開閉検知部３４は、硬貨排出口３３ａの開閉を検知するものであり、硬貨排出口３３ａが蓋体３４ａにより閉成される場合には、その旨の検知信号を金銭制御部６０に与える一方、硬貨排出口３３ａが開成される場合には、その旨の検知信号を金銭制御部６０に与えるものである。尚、硬貨排出口３３ａが開成される場合には、硬貨回収袋３４ｂが硬貨排出口３３ａを覆う態様で設置されているものとする。
【００３５】
硬貨返却排出ゲート３５は、硬貨返却通路３１と硬貨排出通路３３との分岐点３１ａにおいて、左右方向に沿って延在するゲート軸部３５ａの中心軸回りに前後方向に沿って揺動可能に設けてある。この硬貨返却排出ゲート３５は、前後方向に沿って揺動することにより、一時保留部２２からユニット入口３０ａを通じて硬貨返却通路３１に流通した硬貨Ｃを硬貨返却口１４に向けて通過させる第１状態（図７中の破線で示す状態及び図８に示す状態）と、一時保留部２２からユニット入口３０ａを通じて硬貨返却通路３１に流通した硬貨Ｃを該分岐点３１ａより硬貨排出通路３３を通過させる第２状態（図７中の実線で示す状態及び図９に示す状態）との間で択一的に切換可能なものである。
【００３６】
そして、硬貨返却排出ゲート３５は、常態においては、図には明示しない付勢手段により第１状態に保持されており、金銭制御部６０からの指令に応じて駆動するソレノイド等のアクチュエータ３６が駆動する場合に、付勢手段の付勢力に抗して前方に揺動して第２状態となるものである。つまり、硬貨返却排出ゲート３５は、金銭制御部６０から与えられる指令に応じて第１状態と第２状態との間で択一的に切換可能なものである。
【００３７】
ところで、図５中の符号３８ａ及び符号３８ｂは、硬貨返却排出ゲート３５の状態を検知する第１状態検知部及び第２状態検知部である。第１状態検知部３８ａは、例えば光センサ等により構成され、硬貨返却排出ゲート３５が第１状態となる場合に、該硬貨返却排出ゲート３５に取り付けられた遮光板３５ｂにより発光部からの光が遮られることでオン状態となってオン信号を金銭制御部６０に与えるものである。第２状態検知部３８ｂは、例えば光センサ等により構成され、硬貨返却排出ゲート３５が第２状態となる場合に、該硬貨返却排出ゲート３５に取り付けられた遮光板３５ｂにより発光部からの光が遮られることでオン状態となってオン信号を金銭制御部６０に与えるものである。
【００３８】
計数検出部３７は、硬貨返却通路３１における分岐点３１ａよりもユニット入口３０ａに近接する個所の近傍に設置してあり、ユニット入口３０ａより導入された硬貨Ｃが重心が崩れることにより自由落下により通過する領域を検出領域３９とする。この計数検出部３７は、検出領域３９を通過する硬貨Ｃの枚数を検出し、その検出結果を金銭制御部６０に与えるものである。
【００３９】
図１０及び図１１は、それぞれ図１に示した紙幣処理機４０を示すものであり、図１０は、紙幣処理機４０の正面図、図１１は、紙幣処理機４０の構成を模式的に示した断面図である。
【００４０】
ここで例示する紙幣処理機４０は、硬貨処理機１０に併設されており、略直方状を成す筐体である紙幣処理機本体４０ａの前面に、紙幣を投入するための紙幣入金口４１と、収納された紙幣を釣銭として払い出す紙幣出金口４２とが形成してある。また紙幣処理機本体４０ａの前面下部には、引き出し可能な状態で設けられた回収庫４３の前面部が露出している。
【００４１】
そのような紙幣処理機４０は、紙幣入金口４１から投入された紙幣を装置内に導入する入金部４４、紙幣を紙幣出金口４２に繰り出す出金部４５、回収庫４３、紙幣の真贋及び金種を判別する鑑別部４６、金種毎の紙幣を収納する紙幣収納庫４７を有する。上述した入金部４４、出金部４５、回収庫４３、鑑別部４６、紙幣収納庫４７は、紙幣搬送機構４８によって接続される。
【００４２】
上記入金部４４を構成する紙幣入金口４１においては、図１２に示すように、該紙幣入金口４１を構成する底部４１ａが該紙幣入金口４１よりも前方に突出する態様で形成してある。かかる底部４１ａは、紙幣を載置させるものである。
【００４３】
そして、かかる底部４１ａに紙幣ガイド５０が設けてある。紙幣ガイド５０は、例えば樹脂材により形成したものであり、上延部５１と側延部５２とを備えて構成してある。
【００４４】
上延部５１は、底部４１ａの前端部分より上方に向けて延在するものであり、左右方向が長手方向となる長尺状部分である。この上延部５１の左右方向の中央部分には切欠５１ａが形成してある。側延部５２は、上延部５１の左右両端部にそれぞれ連続しており、底部４１ａの左右の両端部分より上方に突出する態様で設けられている。
【００４５】
上記入金部４４と上記出金部４５とは互いに上下に隣接する態様で設けてあり、入金部４４と出金部４５とを区画する部分には、上面及び下面に光源であるＬＥＤ５３ａ，５３ｂが設けられた基板５４が設置してある。基板５４の上面に設けられたＬＥＤ５３ａは、紙幣入金口４１を構成する底部４１ａを照射することで紙幣ガイド５０を含むその縁端部分を照らすものであり、基板５４の下面に設けられたＬＥＤ５３ｂは、出金部４５を照射することにより紙幣出金口４２を照らすものである。
【００４６】
金銭制御部６０は、記憶部６１に記憶されたプログラムやデータにしたがって硬貨処理機１０の各部及び紙幣処理機４０の各部の動作を統括的に制御する制御手段である。尚、金銭制御部６０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００４７】
以上のような構成を有する金銭処理装置１の動作について説明する。まず硬貨処理機１０の動作について説明する。
【００４８】
硬貨投入口１１に投入された硬貨は、ＰＯＳレジスタ装置ＰＲからの入金許可指令を受け、投入検出センサによって検出された後、入金搬送部２１によって搬送され、検銭部２７により真贋及び金種が判定される。搬送された硬貨が正貨である場合、一時保留部２２に保留される。一方、搬送された硬貨が正貨でない場合、第１切換ゲート２６ａを介して硬貨出金口１３に搬送され、出金トレイ１５に返却される。
【００４９】
一時保留部２２に保留された硬貨は、硬貨振分部２３に搬送され、後方に向けて搬送されながら金種毎に振り分けられる。硬貨振分部２３によって振り分けられた硬貨は、金種に応じて硬貨収納庫２４に収納される。
【００５０】
ＰＯＳレジスタ装置ＰＲからの出金指令が与えられた場合に、該出金指令に応じた金種の硬貨が任意の硬貨収納庫２４から繰り出されて出金搬送部２５により前方に向けて搬送され、第３切換ゲート２６ｃを介して硬貨出金口１３から硬貨処理機本体１０ａの外部に払い出される。
【００５１】
ところで、一時保留部２２に硬貨が保留された状態でＰＯＳレジスタ装置ＰＲから返却指示があった場合、該硬貨は、第２切換ゲート２６ｂを介して硬貨返却排出ユニット３０に送出される。
【００５２】
上述したように硬貨返却排出ユニット３０では、硬貨返却排出ゲート３５が常態では第１状態に保持されていることから、硬貨返却排出ユニット３０に送出された硬貨は、図８に示したように、ユニット入口３０ａより硬貨返却通路３１に導入され、該硬貨返却通路３１を通過して硬貨返却口１４より払い出される。
【００５３】
ユニット入口３０ａより導入される硬貨は、一時保留部２２から搬送手段により右方に向けて搬送されて第２切換ゲート２６ｂに当接した後、搬送路２９の壁面２９ａに接して方向が変化して前方に向けて搬送されたものであるので、壁面２９ａに接して減速された状態でユニット入口３０ａを通過する。
【００５４】
そして、硬貨返却通路３１の延在態様により、ユニット入口３０ａを通過した硬貨は、重心が崩れることにより自由落下により計数検出部３７の検出領域３９を通過する。これにより、計数検出部３７の検出領域３９における硬貨の通過速度が、該検出領域３９直前であるユニット入口３０ａでの硬貨の通過速度よりも大きくなる。
【００５５】
図１３は、図２に示した金銭制御部６０が実施するオーバーフロー硬貨排出制御処理の処理内容を示すフローチャートである。かかるオーバーフロー硬貨排出制御処理の処理内容を説明しながら硬貨処理機１０の動作について説明する。
【００５６】
このオーバーフロー硬貨排出制御処理において金銭制御部６０は、いずれかの硬貨収納庫２４にて該硬貨収納庫２４における硬貨の収納枚数が予め決められた規定枚数以上となるオーバーフローが発生しているか否かを判断する（ステップＳ１０１）。
【００５７】
いずれかの硬貨収納庫２４にてオーバーフローが発生した場合（ステップＳ１０１：Ｙｅｓ）、金銭制御部６０は、ＰＯＳレジスタ装置ＰＲに対してオーバーフローが発生した旨を通知し、（ステップＳ１０２）、ＰＯＳレジスタ装置ＰＲからの排出指令待ちとなる（ステップＳ１０３）。
【００５８】
一方、いずれの硬貨収納庫２４においてもオーバーフローが発生していない場合（ステップＳ１０１：Ｎｏ）、金銭制御部６０は、ステップＳ１０１の処理を繰り返す。
【００５９】
ＰＯＳレジスタ装置ＰＲから所定枚数の硬貨の排出指令が与えられた場合（ステップＳ１０３：Ｙｅｓ）、金銭制御部６０は、該当する硬貨収納庫２４から所定枚数の硬貨を繰り出させ、出金搬送部２５により一時保留部２２に搬送させる（ステップＳ１０４）。
【００６０】
そして、金銭制御部６０は、開閉検知部３４を通じて硬貨排出口３３ａが開成されているか否かを判断する（ステップＳ１０５）。硬貨排出口３３ａが閉成されている場合（ステップＳ１０５：Ｎｏ）、すなわち硬貨排出口３３ａが蓋体３４ａにより閉成されている場合、金銭制御部６０は、後述する処理を実施することなく、手順をリターンさせて今回の処理を終了する。
【００６１】
硬貨排出口３３ａが開成されている場合（ステップＳ１０５：Ｙｅｓ）、すなわち硬貨排出口３３ａに適切に硬貨回収袋３４ｂが装着されている場合、金銭制御部６０は、アクチュエータ３６を駆動させて硬貨返却排出ゲート３５を第２状態にさせる（ステップＳ１０６）。
【００６２】
その後、一時保留部２２に保留された硬貨を、第２切換ゲート２６ｂを介して硬貨返却排出ユニット３０に送出させ、ユニット入口３０ａから計数検出部３７の検出領域３９を通過させて硬貨枚数を検出させる（ステップＳ１０７）。この検出領域３９を通過した硬貨は、分岐点３１ａで硬貨排出通路３３に至り、該硬貨排出通路３３を通過して硬貨排出口３３ａより外部（硬貨回収袋３４ｂ）に排出される。
【００６３】
ところで、ユニット入口３０ａより導入される硬貨は、一時保留部２２から搬送手段により右方に向けて搬送されて第２切換ゲート２６ｂに当接した後、搬送路２９の壁面２９ａに接して方向が変化して前方に向けて搬送されたものであるので、壁面２９ａに接して減速された状態でユニット入口３０ａを通過する。そして、硬貨返却通路３１の延在態様により、ユニット入口３０ａを通過した硬貨は、重心が崩れることにより自由落下により計数検出部３７の検出領域３９を通過する。これにより、計数検出部３７の検出領域３９における硬貨の通過速度が、該検出領域３９直前であるユニット入口３０ａでの硬貨の通過速度よりも大きくなる。
【００６４】
上記ステップＳ１０７の処理を実施する金銭制御部６０は、計数検出部３７を通じての検出枚数が排出指令における所定枚数に達するか否かを判断する（ステップＳ１０８）。計数検出部３７を通じての検出枚数が所定枚数に達していない場合（ステップＳ１０８）、金銭制御部６０は、ステップＳ１０７の処理を繰り返す。
【００６５】
一方、計数検出部３７を通じての検出枚数が所定枚数に達した場合（ステップＳ１０８：Ｙｅｓ）、金銭制御部６０は、アクチュエータ３６の駆動停止や第２切換ゲート２６ｂの姿勢変更、搬送手段の駆動停止等の排出完了処理を実施し（ステップＳ１０９）、その後に手順をリターンして今回の処理を終了する。
【００６６】
次に、紙幣処理機４０の動作について説明する。紙幣入金口４１に入金された紙幣は、入金部４４の図示しない検出センサによって検出された後、金銭制御部６０により駆動される紙幣搬送機構４８によって鑑別部４６に搬送される。紙幣搬送機構４８は、その搬送途中で紙幣が詰まったり、鑑別部４６での判別が不十分であったりする場合には、入金部４４を経由して該紙幣を紙幣入金口４１に一旦戻す。この場合において、紙幣入金口４１を構成する底部４１ａは、該紙幣入金口４１よりも前方に突出しており、しかも紙幣ガイド５０の上延部５１が、底部４１ａの前端部分より上方に向けて延在しているので、一旦紙幣入金口４１に戻された紙幣ＢＮは、図１４に示すように、上延部５１に当接させて底部４１ａに載置させることができる。
【００６７】
また紙幣搬送機構４８は、鑑別部４６によって紙幣が正貨でないと判別された場合には、該紙幣を出金部４５に搬送して紙幣出金口４２より出金させる。一方、紙幣搬送機構４８は、鑑別部４６によって紙幣が正貨であると判別された場合、この紙幣を金種に応じた紙幣収納庫４７に収納する。
【００６８】
一方、ＰＯＳレジスタ装置ＰＲから出金指令があった場合、金銭制御部６０は、対応する金種の紙幣を紙幣収納庫４７から紙幣搬送機構４８に繰り出させ、該紙幣搬送機構４８により出金部４５に搬送して紙幣出金口４２より出金させる。
【００６９】
以上説明したように、本発明の実施の形態である金銭処理装置１によれば、金銭制御部６０が、硬貨収納庫２４における収納枚数が予め決められた規定枚数以上となることにより該硬貨収納庫２４にオーバーフローが生じた場合、ＰＯＳレジスタ装置ＰＲより該硬貨収納庫２４から所定枚数の硬貨の排出指令が与えられたことを条件として、該硬貨収納庫２４から所定枚数の硬貨を一時保留部２２に搬送させてから硬貨排出通路３３を通じて外部に排出させるので、オーバーフローの発生を起因とする決済処理機会の損失を回避することができる。
【００７０】
しかも、硬貨排出通路３３が硬貨返却通路３１の途中の分岐点３１ａより分岐する態様で設けられており、硬貨返却排出ゲート３５を第１状態と第２状態との間で択一的に切り換えることにより、硬貨返却通路３１の一部を経由してから硬貨排出通路３３を通過させて硬貨の排出を行うことができ、一部の部品を共用化させることで、部品点数の削減による製造コストの低減化を図りつつ、省スペース化を図ることができる。
【００７１】
上記金銭処理装置１によれば、計数検出部３７の検出領域３９における硬貨の通過速度が、該検出領域３９直前であるユニット入口３０ａでの硬貨の通過速度よりも大きくなるので、一時保留部２２からユニット入口３０ａまで硬貨が１枚ずつ数珠繋ぎで搬送手段により搬送されたとしても、検出領域３９では、硬貨が一枚ずつ分離した状態で通過させることができ、搬送される硬貨の枚数を良好に検出することができる。
【００７２】
また上記金銭処理装置１によれば、紙幣入金口４１を構成する底部４１ａが該紙幣入金口４１よりも前方に突出する態様で形成されており、紙幣ガイド５０は、底部４１ａの前端部分より上方に向けて延在する態様で設けられた上延部５１が紙幣搬送機構４８により紙幣入金口４１に戻された紙幣に当接するので、該紙幣の姿勢を良好に揃えることができる。
【００７３】
特に、底部４１ａの紙幣入金口４１からの前方への突出距離が十分に確保されている場合、紙幣入金口４１に戻した紙幣を該紙幣入金口４１から前方に引き出させることができ、紙幣搬送機構４８により紙幣出金口４２へ送出される紙幣を阻害する虞れがない。
【００７４】
しかも、上記紙幣ガイド５０は、上延部５１の左右方向の中央部分に切欠５１ａが形成してあるので、紙幣入金口４１への紙幣の入金や、紙幣入金口４１に戻された紙幣の取り出しが容易なものとなり、利便性の向上を図ることができる。
【００７５】
更に、上記紙幣ガイド５０は、上延部５１の左右の両端部にそれぞれ連続する側延部５２が、底部４１ａの左右の両端部分より上方に突出する態様で設けられているので、紙幣入金口４１に戻された紙幣に該側延部５２が当接することで、紙幣の姿勢をより良好に揃えることができる。
【００７６】
また更に、紙幣処理機４０における入金部４４と出金部４５とを区画する部分に、上面及び下面にＬＥＤ５３ａ，５３ｂが設けられた基板５４が設置してあり、基板５４の上面に設けられたＬＥＤ５３ａが、紙幣ガイド５０を含むその縁端部分を照らし、基板５４の下面に設けられたＬＥＤ５３ｂが、紙幣出金口４２を照らすので、光源部材の共通化による省スペース化を図りつつ、紙幣出金口４２における紙幣を照らすことができる。
【００７７】
以上、本発明の好適な実施の形態について説明したが、本発明はこれに限定されるものではなく、種々の変更を行うことができる。
【００７８】
上述した実施の形態では硬貨返却排出ユニット３０が硬貨処理機本体１０ａの内部に設けられていたが、本発明においては、硬貨返却排出ユニットを構成する硬貨返却通路及び硬貨排出通路は、硬貨処理機本体の側面の開口を扉体により開成させることにより開放される構成であってもよい。そのような構成によれば、硬貨返却通路及び硬貨排出通路で硬貨詰まりが発生した場合にも該開口を開成させることにより詰まりの原因となった硬貨を取り除くことができる。
【００７９】
上述した実施の形態では、紙幣処理機４０における入金部４４と出金部４５とを区画する部分にＬＥＤ５３ａ，５３ｂを備えた基板５４を設置したが、本発明においては、硬貨処理機における硬貨投入口と硬貨返却口とを区画する部分に、上面及び下面に光源であるＬＥＤを備えた板状部材を設置してもよい。これによれば、硬貨投入口の周辺部を照らしつつ、硬貨返却口に出された硬貨を照らすことができる。
【００８０】
上述した実施の形態では、硬貨返却排出ユニット３０における計数検出部３７の検出領域３９を通過する硬貨の通過速度が該検出領域３９直前のユニット入口３０ａにおける硬貨の通過速度よりも大きくなるように構成したが、本発明においては、硬貨返却排出ユニットに限られず、種々の個所に適用できることは言うまでもない。
【符号の説明】
【００８１】
１  金銭処理装置
１０  硬貨処理機
１０ａ  硬貨処理機本体
１１  硬貨投入口
１２  操作表示部
１２ａ  表示部
１２ｂ  操作部
１３  硬貨出金口
１４  硬貨返却口
２０  硬貨搬送機構
２１  入金搬送部
２２  一時保留部
２３  硬貨振分部
２４  硬貨収納庫
２５  出金搬送部
２６  切換ゲート群
２７  検銭部
３０  硬貨返却排出ユニット
３０ａ  ユニット入口
３１  硬貨返却通路
３１ａ  分岐点
３３  硬貨排出通路
３３ａ  硬貨排出口
３５  硬貨返却排出ゲート
３７  計数検出部
３９  検出領域
４０  紙幣処理機
４０ａ  紙幣処理機本体
４１  紙幣入金口
４１ａ  底部
４２  紙幣出金口
４３  回収庫
４４  入金部
４５  出金部
４６  鑑別部
４７  紙幣収納庫
４８  紙幣搬送機構
５０  紙幣ガイド
５１  上延部
５１ａ  切欠
５２  側延部
６０  金銭制御部
６１  記憶部
ＰＲ  ＰＯＳレジスタ装置
【図１】
2020035401.tif 000003
【図２】
2020035401.tif 000004
【図３】
2020035401.tif 000005
【図４】
2020035401.tif 000006
【図５】
2020035401.tif 000007
【図６】
2020035401.tif 000008
【図７】
2020035401.tif 000009
【図８】
2020035401.tif 000010
【図９】
2020035401.tif 000011
【図１０】
2020035401.tif 000012
【図１１】
2020035401.tif 000013
【図１２】
2020035401.tif 000014
【図１３】
2020035401.tif 000015
【図１４】
2020035401.tif 000016